(57)【要約】  【課題】  冬期間の密閉された室内での自然換気口に対応する、着脱自由な自然換気用冷暖気混合器具を提供する。【解決手段】 室内側換気口カバー２より大きく形成された固定板６の鍔部７に複数個のビス穴８と、固定板６中央には前記換気口カバー２の嵌合口９とが穿設され、該嵌合口９周部から前記換気口カバー２の外縁を囲うように突設させて外気取込枠１０を形設し、該外気取込枠１０の中心部から左右の内壁に一対の嵌合用突起１１を設ける。前記外気取込枠１０に嵌合される外気導入部１２は、前記嵌合用突起１１から下方部分を前期外気取込枠１０に内接する略凹形状に形成され、その前端部を概ね４５度上方に屈曲して冷暖気混合部１３を形設する。【選択図】図１
2018119690.tif 000002
【特許請求の範囲】
【請求項１】
室内の換気口カバーに被装させる外気取込枠と、それに嵌合する外気導入部とからなり、前記換気口カバーよりやや大きく形成された固定板鍔部に複数個のビス穴を設けるとともに、前記固定板中央に穿設された前記換気口カバーの嵌合口周部から、前記換気口カバーの外縁を囲うように突設した前記外気取込枠を形設し、その中心部から左右の内壁に一対の嵌合用突起を設け、前記嵌合用突起から下方部分を略凹形状に、前期外気取込枠に内接するように形設した外気導入部の前端部を、概ね４５度上方に屈曲して冷暖気混合部を設けたことを特徴とする、着脱自由な自然換気用冷暖気混合器具。
【発明の詳細な説明】
【技術分野】
【０００１】
本発明は、着脱自由な室内の自然換気用冷暖気混合器具に関する。
【背景技術】
【０００２】
室内の換気システムには機械換気と自然換気があり、機械換気では電動式でガラリーの開口に連動して強制的に給気や排気をするタイプや、また給排気を同時に行って熱交換するタイプ等がある。なお最近の建築物では、その使用材料や工法の改良によってますます高断熱や気密性が高くなり、シックハウス症候群等への対策から２００３年には建築基準法が改正され、強制的に室内の空気を自動的に行うことを可能とした24時間換気システムの設置が義務付けられた。
【０００３】
一方、それ以前の自然換気システムの日本家屋では、わざわざ窓を開け放たなくても隙間等からの通風で家自身が呼吸をするように、自ずと換気がなされていたのである。また給気においては自然換気口の室内側換気カバーの開閉自在な中蓋を操作して、壁貫通孔の開口度を調整して外気を導入している。なお、手動による自然換気システムでは、給排気を同時に行って熱交換をする発明として特開平０６−０１１１６１号公報がある。（特許文献１）。
【０００４】
上記の発明は図４を参照にすると、躯体壁を貫通した換気口体Ａ及びＢの内部が上下に仕切板Ｃで分割されて屋外に固着されたフード１１に接続されている。フード１１内では仕切板Ｃは傾斜部１Ｂを経て下部は垂直部１Ａで仕切られ、開放口にはガラリー１０Ｂ、１０Ｃが設けられている。
また、フード１１内の上部は全面が解放されてガラリー１０Ａが設けられており、室内側は開口の仕切板２Ａを境にして、上段の排気用ダンパー２Ｂは上から紐や鎖等で約９０度に開かれ、下段の給気用ダンパー２Ｃはボールチエーン６で約４５度に開いて使用される。
【０００５】
つまり、フード１１下方からの外気（冷気）の大半は給気用として室内の下方に向かって放出されるが、逆に室内の温度の高い空気は仕切板Ｃの上段からフード１１内に排出される。その際に仕切板Ｃを介して上段の室内暖気と下段からの屋外冷気とが熱交換される仕組みである。
一方、フード１１上段からの排気は上方のガラリー１０Ａに向かう上昇気流に乗って大気に解放されるが、その際に垂直部１Ａからの外気も上昇気流に誘引されて同時に排出される。
【先行技術文献】
【特許文献】
【０００６】
【特許文献１】特開０６−０１１１６１号  公報
【発明の概要】
【発明が解決しようとする課題】
【０００７】
しかしながら、特許文献１の換気口体Ａ及びＢの内部の仕切板Ｃを介しての熱交換方式では、仕切板Ｃの伝熱面積が小さいことと、通風速度が速いために熱交換効率は非常に低いものであり、さらには室内の給気用ダンパー２Ｃが下向きに約４５度に開いているために、室内に供給された冷気がすぐに窓や壁際に沿って下降するコールドドラフト現象が発生するという問題もあった。
また、換気口システム全体の構成や構造自体を替えなければならず、必要とする部材が高額になり、且つ専門の施工業者に依頼することにより多額の工事費が発生するという問題があった。
本発明は、上記の問題を解決する新たな換気法の提供を課題とする。
【課題を解決するための手段】
【０００８】
室内側の換気口カバーに被装させる外気取込枠と、それに嵌合する外気導入部とからなり、前記換気口カバーよりやや大きく形成された固定板鍔部に複数個のビス穴を設けるとともに、前記固定板中央に穿設された前記換気口カバーの嵌合口周部から、前記換気口カバーの外縁を囲うように突設した外気取込枠を形設し、その中心部から左右の内壁に一対の嵌合用突起を設ける。
前記外気取込枠に嵌合させる前記外気導入部は、前記嵌合用突起から下方部分を略凹形状に前期外気取込枠に内接するように形設され、その前端部を概ね４５度上方に屈曲して冷暖気混合部を設ける。
【０００９】
上記の課題解決手段による作用は次の通りである。
手動式自然換気口の形状には丸型と矩形型があり、本願では一実施例として丸型タイプを採用して説明をしているが、既存の外部フードや壁貫通孔及び室内の換気口カバーをそのまま利用できるので、必要な部材構成は廉価で済み経済的である。
室内側換気口カバーに固定板中央の勘合口を合わせて被装し、ビス止めするだけの簡単施工なので専門業者に依頼せずに済む。また、外部冷気と室内暖気を混合するための大きく突出した形状の外気導入部は、外気取込枠に嵌合するだけなので必要に応じて簡単に着脱できる。
【００１０】
基本的に効率の良い換気とはいかに室内の温湿度条件に近い状態で給気し、外気の温湿度に近づけて排気するかで決まるといわれているが、上述の自然換気口システムによる熱交換方式では効率が低く、それに替わる、屋内外の著しい温度差を解消する方法が求められていた。
本発明では、中蓋で調整された開口から外部フードを介して外気取込枠に侵入した外部冷気は、天井付近の突出した外気導入部に沿って流れ、前方の冷暖気混合部で渦流が形成される際に、それに巻き込まれる形で外部冷気は周囲の天井付近の室内暖気と混合・撹拌され、外気温より高くなった空気が室内に下降しながら拡散される。
【００１１】
つまり、外部冷気を温度差のある室内暖気中に直接開放せず、壁から離れた天井付近で周囲の暖気と混合・撹拌してから、室内に下降・拡散するので急激な室内温度の低下を防止できる。
上記の作用効果により、冬期間に室内換気を行っても一定の室内温度は確保され、従来の自然換気システムの最大の欠点である、冷気がすぐに窓や壁際に沿って下降して床面を流れるコールドドラフト現象は解消され、体感的にも暖かく感じるので暖房費の節約効果にもつながる。
なお、換気時には各部屋間のドアを開放する等、通風をよくしてやるとより効果的である。
【発明の効果】
【００１２】
本発明は、主に冬期間の換気時に派生する著しい室内温度低下の改善を図るものであり、既存の自然換気口システムをそのまま使用するので廉価な費用で済み、動力（電気）を用いずに外部冷気と室内暖気との混合・撹拌が行える。
また、本発明の外気導入部は着脱が自由なので、冬期間に室内換気を行う時だけ取り付けて外部冷気と室内暖気との混合・撹拌を行い、急激な室内温度の低下を防止できる。
【００１３】
本発明の、大きく突出した形状の外気導入部は夏期間に不要であれば外しておけることから、外見や見栄え等にも配慮されており、冬期間に外気導入部を外した状態でも、侵入する冷気は外気取込枠に沿って直進性は保たれるので、壁面から離れた天井付近で室内に拡散される。
本発明は、工事費も室内側の施工処理だけで済み、専門業者に依頼しなくても簡単に取り付けができるので安価であり、また既存や新築の物件を問わずに対応できる。
【００１４】
つまり、本発明は既存の自然換気口システムをそのまま使用できるので安価で、且つ専門業者に依頼せずに自分で工事が行える経済的メリットと、冬期間に室内換気を行っても従来の自然換気口システムのように一気に冷気が下降・拡散するコールドドラフト現象は解消される。
壁面から離れた天井付近で冷気と暖気が混合・撹拌され、外気温より高い温度の空気が下降して室内に拡散されるので、体感的にも暖かく感じ暖房費の節減効果にもつながることになる。
【図面の簡単な説明】
【００１５】
【図１】本発明の一実施例の丸型タイプの分割斜視図
【図２】本発明の一実施例の設置及び作用効果の説明断面図
【図３】従来の自然換気口システムの設置及び説明断面図
【図４】特許文献１の設置状態側面図
【発明を実施するための形態】
【００１６】
本発明の自然換気用冷暖気混合器具は、硬質素材の樹脂系や非鉄金属系等を以てなり、室内側の換気口カバー２よりやや大きく形成された固定板６と一体の外気取込枠１０と、それに嵌合する外気導入部１２とから構成されている。
固定板６の鍔部７に複数個のビス穴８を設け、前記固定板６の中央には前記換気口カバー２に嵌合させるための嵌合口９が穿設されており、前記嵌合口９周部から前記換気口カバー２外縁を囲うように突設した外気取込枠１０が形設され、前記外気取込枠１０の中心部から左右の内壁には一対の嵌合用突起１１が設けられている。
前記外気取込枠１０に嵌合される前記外気導入部１２は、前記嵌合用突起１１から下方部分を略凹形状に、前記外気取込枠１０に内接するように形設した外気導入部１２の前端部を、概ね４５度上方に屈曲して冷暖気混合部１３が設けられている。
【００１７】
本発明は、既存の自然換気口システムをそのまま利用する、着脱自由な自然換気用冷暖気混合器具である。
既存の自然換気口システム１には丸型と矩形型があり、例えば丸型では室内カバー２の中蓋３の中央のツマミを左右に回すことで開閉度を変えることができ、さらに中蓋３全体を手前に引くことで室内カバー２と中蓋３の間に隙間が空き、室内に大量に給気できるものもある。
【００１８】
以下、本発明の実施の形態を図１〜図３に基づいて説明する。
図１は、本発明の一実施例の丸型タイプの分割斜視図である。
本発明は、固定板６に突設して形設された外気取込枠１０と、該外気取込枠１０に嵌合される、前端部に冷暖気混合部１３を有する外気導入部１２とに分割される。なお、大きく突出した外気導入部１２は冬期間や夏期間には必要に応じて着脱する。
既存の自然換気口システム１の外部フード５や壁貫通孔４及び換気口カバー２はそのままで、室内側の換気口カバー２に固定板６の嵌合口９を嵌合させるように被装して、ビス止め固定する。
なお、この固定方法は両面テープ等、他の手段を用いても良い。
【００１９】
図２は、本発明の一実施例の設置及び作用効果の説明断面図である。
本発明の外気導入部１２を取り付けた状態では、中蓋３の開閉度に応じて外部フード５を介して侵入した冷気は、突出した外気導入部１２に導かれ、天井付近の壁面から離れた冷暖気混合部１３で周囲の暖気と混合・撹拌されるので、従来のように窓や壁面に沿って下降するコールドドラフト現象は解消され、外気温より高い温度の空気が室内に下降しながら室内に拡散される。
また、外気導入部１２を外した場合でも取り込まれた冷気には速度が伴うために、外気取込枠１０に囲まれて直進性は保たれ、冷気は壁面から離れた所で拡散されるので、壁面や窓際に沿って急激に室内に下降するコールドドラフト現象は改善される効果がある。
【００２０】
図３は、従来の自然換気口システムの設置及び説明断面図である。
一般的には、換気に際して人は呼吸するために１人あたり１時間に６畳ひと部屋分の空気を必要とするといわれている。
図３に示すように、従来の換気方法では冬期間の締め切った部屋で換気口を開けると、屋外の冷気が一気に侵入してコールドドラフト現象が起き、室温が急激に下がるという問題があるために室内の換気は滅多に行われず、結果的に空気の汚れにつながっていた。
本発明では、外部冷気は突出した外気導入部１２に導かれて直進し、屈曲された給排気混合部１３で渦流を形成して周囲の室内暖気と混合・撹拌されるが、これらは天井部分の壁面から離れた位置で行われるので上記の問題は解消される。
【産業上の利用可能性】
【００２１】
本発明は、主に冬期間の締め切った室内での暖房時における空気の汚れや、換気時のコールドドラフト現象等の室内環境を改善するものであり、大きく突出した外気導入部は必要に応じて自由に着脱できる。
また、既存の自然換気口システムの屋外フードや壁貫通孔及び換気口カバーはそのままで、室内側のみの工事で簡単にできるので廉価な費用で暖房費の節減や健康問題にも貢献する。
【符号の説明】
【００２２】
１    自然換気口システム、（既存）
２    換気口カバー、（既存）
３    中蓋、（既存）
４    壁貫通孔、（既存）
５    屋外フード、（既存）
６    固定板  
７    鍔部
８    ビス穴
９    嵌合口
１０  外気取込枠
１１  嵌合用突起
１２  外気導入部
１３  冷暖気混合部
実線矢印   冷気
破線矢印    暖気
一点鎖線矢印    混合空気
【図１】
2018119690.tif 000003
【図２】
2018119690.tif 000004
【図３】
2018119690.tif 000005
【図４】
2018119690.tif 000006
【手続補正書】
【提出日】平成29年3月17日(2017.3.17)
【手続補正１】
【補正対象書類名】特許請求の範囲
【補正対象項目名】請求項１
【補正方法】変更
【補正の内容】
【請求項１】
室内の換気口カバーに被装させる外気取込枠と、それに嵌合する外気導入部とからなり、前記換気口カバーよりやや大きく形成された固定板鍔部に複数個のビス穴を設けるとともに、前記固定板中央に穿設された前記換気口カバーの嵌合口周部から、前記換気口カバーの外縁を囲うように突設した前記外気取込枠を形設し、その中心部から左右の内壁に一対の嵌合用突起を設け、前記嵌合用突起から下方部分を略凹形状に、前記外気取込枠に内接するように形設した外気導入部の前端部を、概ね４５度上方に屈曲して冷暖気混合部を設けたことを特徴とする、着脱自由な自然換気用冷暖気混合器具。